(57)【要約】【課題】広告の訴求効果を高める技術を提供する。【解決手段】情報処理装置は、広告を表示することと、表示される広告を視聴可能な所において移動する移動体を特定することと、特定された移動体の属性情報を記憶することと、記憶された移動体の属性情報を統計処理することと、統計処理の結果に基づいて、前記表示される広告を決定することと、を実行する制御部を備える。【選択図】図２９
2020030769.tif 000002
【特許請求の範囲】
【請求項１】
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
を実行する制御部を備える、情報処理装置。
【請求項２】
前記制御部は、
前記特定された移動体が前記表示される広告を視聴可能な所において移動していた時刻を更に記憶することと、
前記記憶された移動体の属性情報を時間帯ごとに統計処理することと、
を実行する、
請求項１に記載の情報処理装置。
【請求項３】
前記特定された移動体は、人間であって、
前記記憶された移動体の属性情報は、人間の外観に関する情報である、
請求項１又は２に記載の情報処理装置。
【請求項４】
前記特定された移動体は、車であって、
前記記憶された移動体の属性情報は、車の種類に関する情報である、
請求項１から３のうち何れか１項に記載の情報処理装置。
【請求項５】
前記制御部は、広告を表示する場合の表示位置情報を更に記憶することを実行する、
請求項１から４のうち何れか１項に記載の情報処理装置。
【請求項６】
前記制御部は、
走行している車両に乗り、広告を視聴した視聴者が行ったジェスチャーが所定のジェスチャーであると識別された場合、あるいは、前記視聴者が発した音声が所定の音声パターンであると識別された場合に撮影された広告に関連する情報と、前記視聴者の属性情報と、前記車両の走行履歴情報と、が記憶されるデータベースから、前記撮影された広告に関連する情報と、前記視聴者の属性情報と、前記車両の走行履歴情報と、を取得することと、
前記取得した広告に関連する情報と、前記視聴者の属性情報と、前記車両の走行履歴情報と、に更に基づいて、前記表示される広告を決定することと、を実行する、
請求項１から５のうち何れか１項に記載の情報処理装置。
【請求項７】
走行している車両に乗り、広告を視聴した視聴者が行うジェスチャーが所定のジェスチャーであると識別すること、あるいは前記視聴者が発する音声が所定の音声パターンであると識別することと、
前記視聴者が行ったジェスチャーが所定のジェスチャーであると識別した場合、あるいは、前記視聴者が発した音声が所定の音声パターンであると識別した場合に、前記視聴者が視聴した広告を含む景色を撮影することと、
前記撮影された広告を含む景色が映る画像情報と、前記車両の走行履歴情報と、を記憶することと、
を実行する制御部を備える、情報処理装置。
【請求項８】
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
を含む、情報処理方法。
【請求項９】
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
をコンピュータに実行させるプログラム。
【発明の詳細な説明】
【技術分野】
【０００１】
本発明は、情報処理装置、情報処理方法およびプログラムに関する。
【背景技術】
【０００２】
近年、看板等に広告を単に表示するだけではなく、広告を視聴する視聴者の利便性の向上、あるいは広告を視聴する視聴者への効果的な広告配信に関する技術が開示されている。特許文献１では、看板に関する看板データを施設データに関連付けて記憶させることによって、看板の案内に係る利便性を向上させたナビゲーション装置が開示されている。また、特許文献２では、より簡易な構成で広告の視聴者数をカウントし、該視聴者数のカウント方法を利用し効果的な広告配信を行うことのできるシステムが開示されている。
【先行技術文献】
【特許文献】
【０００３】
【特許文献１】特開２００７−２４０１９８号公報
【特許文献２】特開２０１３−１７８８２０号公報
【発明の概要】
【発明が解決しようとする課題】
【０００４】
本発明は、広告の訴求効果を高める技術を提供することを目的とする。
【課題を解決するための手段】
【０００５】
本発明の第一の態様は、
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
を実行する制御部を備える、情報処理装置である。
【０００６】
本発明の第二の態様は、
走行している車両に乗り、広告を視聴した視聴者が行うジェスチャーが所定のジェスチャーであると識別すること、あるいは前記視聴者が発する音声が所定の音声パターンであると識別することと、
前記視聴者が行ったジェスチャーが所定のジェスチャーであると識別した場合、あるいは、前記視聴者が発した音声が所定の音声パターンであると識別した場合に、前記視聴者が視聴した広告を含む景色を撮影することと、
前記撮影された広告を含む景色が映る画像情報と、前記車両の走行履歴情報と、を記憶することと、
を実行する制御部を備える、情報処理装置である。
【０００７】
本発明の第３の態様は、
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
を含む、情報処理方法である。
【０００８】
本発明の第４の態様は、
広告を表示することと、
前記表示される広告を視聴可能な所において移動する移動体を特定することと、
前記特定された移動体の属性情報を記憶することと、
前記記憶された移動体の属性情報を統計処理することと、
前記統計処理の結果に基づいて、前記表示される広告を決定することと、
をコンピュータに実行させるプログラム、または、該プログラムを非一時的に記憶したコンピュータ可読記憶媒体である。
【発明の効果】
【０００９】
本発明によれば、広告の訴求効果を高める技術を提供することができる。
【図面の簡単な説明】
【００１０】
【図１】図１は、第一実施形態に係る広告配信システムの構成の概要の一例を示している。
【図２】図２は、広告保存装置及びドライブレコーダが設置された車内の概要の一例を示している。
【図３】図３は、広告保存装置の機能構成の概要の一例を示している。
【図４】図４は、撮影画像情報ＤＢに含まれるテーブルの概要の一例を示している。
【図５】図５は、ドライブレコーダの機能構成の概要の一例を示している。
【図６】図６は、データセンタの機能構成の概要の一例を示している。
【図７】図７は、撮影広告情報ＤＢに含まれるテーブルの概要の一例を示している。
【図８】図８は、車両情報ＤＢに含まれるテーブルの概要の一例を示している。
【図９】図９は、サイネージ情報ＤＢの概要の一例を示している。
【図１０】図１０は、広告情報ＤＢの概要の一例を示している。
【図１１】図１１は、配信管理サーバの機能構成の概要の一例を示している。
【図１２】図１２は、デジタルサイネージの機能構成の概要の一例を示している。
【図１３】図１３は、情報端末の機能構成の概要の一例を示している。
【図１４】図１４は、広告保存装置が広告の撮影のための制御信号を撮影装置へ送信することを実行する処理のフローチャートの一例を示している。
【図１５】図１５は、広告保存装置が撮影画像を受信して外部の装置へ送信する処理を実行する処理のフローチャートの一例を示している。
【図１６】図１６は、広告保存装置が撮影画像情報ＤＢに格納された情報を表示するフローの一例を示している。
【図１７】図１７は、ドライブレコーダが撮影処理を実行するフローチャートの一例を示している。
【図１８】図１８は、データセンタが表示させる広告情報を外部の装置へ送信する処理を実行するフローチャートの一例を示している。
【図１９】図１９は、データセンタが、外部の装置から広告実施場所情報を要求された場合の処理を実行するフローチャートの一例を示している。
【図２０】図２０は、データセンタが外部の装置から撮影画像に関する情報を要求された場合の処理を実行するフローチャートの一例を示している。
【図２１】図２１は、配信管理サーバが広告配信処理を実行するフローチャートの一例を示している。
【図２２】図２２は、デジタルサイネージが広告を表示する処理を実行するフローチャートの一例を示している。
【図２３】図２３は、情報端末が撮影した画像を表示する処理を実行するフローチャートの一例を示している。
【図２４】図２４は、広告配信システムの動作の一例を示している。
【図２５】図２５は、運転手が車の走行中の道路脇に設置されるデジタルサイネージに映る広告に興味が湧いた状況を示す一例である。
【図２６】図２６は、広告配信システムの動作の一例を示している。
【図２７】図２７は、広告配信システムの動作の一例を示している。
【図２８】図２８は、情報端末に受信した撮影画像及び広告付加情報が表示される概要の一例を示している。
【図２９】図２９は、第二実施形態に係る広告表示システムの構成の概要の一例を示している。
【図３０】図３０は、配信管理サーバの機能構成の概要の一例を示している。
【図３１】図３１は、移動体属性情報ＤＢの概要の一例を示している。
【図３２】図３２は、デジタルサイネージの機能構成の概要の一例を示している。
【図３３】図３３は、配信管理サーバが広告の配信を実行する処理のフローチャートの一例を示している。
【図３４】図３４は、データセンタが広告に関する情報を要求する要求信号を受信した場合の処理を実行するフローチャートの一例を示している。
【図３５】図３５は、デジタルサイネージが撮影処理を実行するフローチャートの一例を示している。
【図３６】図３６は、デジタルサイネージが広告表示処理を実行するフローチャートの一例を示している。
【図３７】図３７は、広告表示システムの動作の一例を示している。
【図３８】図３８は、デジタルサイネージの撮影の様子の一例を示している。
【図３９】図３９は、時間帯ごとに属性が統計された結果を表すグラフの一例である。
【図４０】図４０は、広告を表示する場合の表示位置情報の一例を示している。
【発明を実施するための形態】
【００１１】
例えば広告の訴求効果を高めるために、デジタルサイネージ等に代表される、広告を表示させるための表示装置を駅や繁華街など、人や車の交通量が多い所に設置することが考えられる。しかしながら、表示装置に表示される広告の内容が、表示装置の前を通る広告の視聴者の興味と乖離している場合、広告の訴求効果は低減される虞がある。
【００１２】
上記を考慮して、本実施形態に係る情報処理装置は、広告を視聴可能な所において移動する移動体を特定し、当該移動体の属性情報を統計処理する。そして、当該統計処理の結果に基づいて表示される広告を決定する。
【００１３】
ここで、移動体は、表示される広告を視聴可能な所において移動する車、移動する車を運転する運転者・同乗者、広告を視聴可能な所において歩いている人間、広告を視聴可能な所において自転車に乗って移動する人間を含む。
【００１４】
また、移動体の属性情報は、移動体が人間である場合、身長、服装、性別、年齢などの外観を含む。また、移動体の属性情報は、移動体が車である場合、車種を含む。また、移動体の属性情報は、移動体が車である場合、車の所有者に関する情報（身長、服装、性別、年齢や家族構成）を含む。
【００１５】
上記のような情報処理装置であれば、表示される広告を視聴可能なところにおいて移動する移動体の属性を統計処理することができる。そして、当該統計処理の結果、移動体の属性分布に傾向が見られる場合、上記の情報処理装置は、当該属性分布の傾向に適合する広告を表示することができる。したがって、上記の情報処理装置は、広告の訴求効果を高めることができる。
【００１６】
＜第一実施形態＞
（システム構成）
図１は、第一実施形態に係る広告配信システムの構成の概要の一例を示している。本実施形態にかかる広告配信システム１は、広告保存装置１０と、ドライブレコーダ２０と、データセンタ３０と、配信管理サーバ４０と、デジタルサイネージ５０と、情報端末６０と、から形成される。ここで、広告保存装置１０は、本発明の「情報処理装置」の一例である。
【００１７】
図１に示されるように、広告保存装置１０はカメラモジュール１１を備える。また、広告保存装置１０は、内部にマイクロホンを備え、当該マイクロホンに通じる孔１２を備える。また、広告保存装置１０は、タッチパネルディスプレイ１３を備える。
【００１８】
また、図１に示されるように、ドライブレコーダ２０は、カメラモジュール２１を備える。また、ドライブレコーダ２０は、カメラモジュール２１を車のバックミラーに固定する固定部材２２を備える。
【００１９】
図２は、広告保存装置１０及びドライブレコーダ２０が設置された車内の概要の一例を示している。
【００２０】
車を走行させている運転手は、車を走行させている際に車外に設置された広告を見かけ、広告に興味が湧いた場合であっても、スマートフォン等を自身で操作して広告を撮影・保存することはできない。広告保存装置１０は、このような状況のために設置され、所定のジェスチャーや音声が発せられた場合に、ドライブレコーダ２０へ撮影命令の信号を送り、広告の撮影を行うことのできる装置である。
【００２１】
よって、広告保存装置１０は、例えば車の運転席より斜め前方であってダッシュボードの近傍に設けられる。そして、広告保存装置１０は、運転手や同乗者が行うジェスチャーや発する音声を検出する。広告保存装置１０が設置される場所は、図２の例に限定されないが、カメラモジュール１１のレンズの向きあるいはマイクロホンと通じる孔１２が運転手あるいは同乗者の方向へ向けられていることが好ましい。
【００２２】
また、広告保存装置１０は、撮影された広告が映る画像をドライブレコーダ２０から受信し、当該画像を保存することもできる。
【００２３】
ドライブレコーダ２０は、例えば車のバックミラーに固定される。また、ドライブレコーダ２０は、前述の通り、広告保存装置からの撮影命令の信号を受信した場合に、車外の景色を撮影することのできる装置である。
【００２４】
データセンタ３０は、様々な情報が蓄積される装置である。様々な情報は、例えば、運転手が車内から広告を撮影した撮影画像、撮影画像に映る広告に関する情報、車両情報、デジタルサイネージ５０が設置される場所情報を含む。
【００２５】
配信管理サーバ４０は、デジタルサイネージ５０へ配信する配信情報を管理する。配信情報には、広告画像や広告を表示する時間等が含まれる。
【００２６】
デジタルサイネージ５０は、映像や文字から形成される広告を表示する装置である。デジタルサイネージ５０は、例えば、駅の構内、繁華街のビルの壁面、幹線道路沿いといった人や車の交通量が多い所に設置されてもよい。
【００２７】
情報端末６０は、データセンタ３０へアクセスし、車の運転中に撮影した画像を取得す
る。そして取得した画像を表示することのできる端末である。情報端末６０は、車内に設置されている必要はなく、携帯可能な端末であってもよい。すなわち、運転手は、車から降車した場合であっても、情報端末６０を介して撮影した画像を見ることができる。
【００２８】
本実施形態に係る広告配信システム１では、広告保存装置１０と、データセンタ３０と配信管理サーバ４０と、デジタルサイネージ５０と、情報端末６０とが、ネットワーク（Ｎ）によって相互に接続される。ネットワークには、例えば、インターネット等の世界規模の公衆通信網であるＷＡＮ（Ｗｉｄｅ  Ａｒｅａ  Ｎｅｔｗｏｒｋ）やその他の通信網が採用されてもよい。また、ネットワークは、携帯電話等の電話通信網、Ｗｉ−Ｆｉ（登録商標）等の無線通信網を含んでもよい。また、本実施形態に係る広告配信システム１では、広告保存装置１０とドライブレコーダ２０とが、例えばＷｉ−ＦｉやＢｌｕｅｔｏｏｔｈ（登録商標）等によって相互に接続される。
【００２９】
（機能構成）
図３は、広告保存装置１０の機能構成の概要の一例を示している。広告保存装置１０は、ＣＰＵ等のプロセッサ、ＲＡＭやＲＯＭ等の主記憶装置、ＥＰＲＯＭ、ハードディスクドライブ、リムーバブルメディア等の補助記憶装置、カメラモジュール１１、マイクロホンを有するコンピュータである。また、広告保存装置１０は、例えばタッチパネルディスプレイ１３などの入力装置や表示装置を備える。また、広告保存装置１０は、ＧＰＳモジュールを備える。また、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００３０】
広告保存装置１０は、通信部１０１を備える。通信部１０１は、広告保存装置１０をネットワークに接続するための無線通信インタフェースである。通信部１０１は、例えば、無線ＬＡＮや３Ｇ、ＬＴＥ等の移動体通信サービスを介して、ネットワークへのアクセスを提供する。
【００３１】
また、広告保存装置１０は、撮影判定部１０２を備える。撮影判定部１０２は、カメラモジュール１１から入力される信号、又はマイクロホンから入力される信号を検出する。また、入力信号に基づき、撮影を実行するか否かを判定する。また、撮影判定部１０２は、撮影を実行すると判定した場合、撮影のための制御信号を生成し、通信部１０１を介して当該制御信号をドライブレコーダ２０へ送信する。撮影のための制御信号は、撮影方向や撮影回数に関する情報を含んでもよい。
【００３２】
また、広告保存装置１０は、記憶部１０３を備える。記憶部１０３は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。
【００３３】
また、広告保存装置１０は、位置情報取得部１０４を備える。位置情報取得部１０４は、広告保存装置１０の位置情報、すなわち広告保存装置１０が設置される車の位置情報を取得する手段である。位置情報取得部１０４は、例えば、ＧＰＳモジュールから広告保存装置１０の位置情報（例えば、緯度と経度）を取得する。また、取得された位置情報は、
記憶部１０３によって記憶される。
【００３４】
また、広告保存装置１０は、記憶される撮影画像に関する情報が格納される撮影画像情報データベース（ＤＢ）１０５を含む。撮影画像情報ＤＢ１０５は、プロセッサによって実行されるデータベース管理システムのプログラムが、記憶部１０３に記憶されるデータを管理することで構築される。撮影画像情報ＤＢ１０５は、例えば、リレーショナルデータベースである。
【００３５】
図４は、撮影画像情報ＤＢ１０５に含まれるテーブルの概要の一例を示している。図４に示されるように、撮影画像情報ＤＢには、画像が撮影された日付、画像が撮影された時刻、車の位置情報、撮影画像データが格納される。また、以降の記載において、画像が撮影された日付、画像が撮影された時刻、車の位置情報を走行履歴情報という。
【００３６】
また、広告保存装置１０は、入力受付部１０６を備える。入力受付部１０６は、タッチパネルディスプレイ１３を介してユーザからの入力を受け付ける。
【００３７】
また、広告保存装置１０は、表示部１０７を備える。表示部１０７は、例えば入力受付部１０６が受け付けたユーザの入力操作に基づき、情報をタッチパネルディスプレイ１３へ表示させる。
【００３８】
また、広告保存装置１０は、経路生成部１０８を備える。経路生成部１０８は、現在地の位置情報と、目的地の位置情報と、既知の経路生成手段と、を使用し、現在地から目的地までの経路を生成する。
【００３９】
また、プログラムを実行してこれらの機能を実現する広告保存装置１０が有するプロセッサは、本発明の「制御部」の一例である。
【００４０】
次にドライブレコーダ２０の機能構成を説明する。図５は、ドライブレコーダ２０の機能構成の概要の一例を示している。ドライブレコーダ２０は、ＣＰＵ等のプロセッサ、ＲＡＭやＲＯＭ等の主記憶装置、ＥＰＲＯＭ、ハードディスクドライブ、リムーバブルメディア等の補助記憶装置、及びカメラモジュール２１を有する装置である。なお、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００４１】
ドライブレコーダ２０は、通信部２０１を備える。通信部２０１は、ドライブレコーダ２０を広告保存装置１０に接続するための無線通信インタフェースである。ドライブレコーダ２０と広告保存装置１０との間の無線通信は、例えばＷｉ−ＦｉやＢｌｕｅｔｏｏｔｈによって実現される。
【００４２】
また、ドライブレコーダ２０は、撮影部２０２を備える。撮影部２０２は、カメラモジュール２１による撮影を制御する。撮影部２０２は、制御信号に従い、撮影方向や撮影回数を制御することもできる。
【００４３】
次にデータセンタ３０の機能構成を説明する。図６は、データセンタ３０の機能構成の概要の一例を示している。データセンタ３０は、ＣＰＵやＧＰＵ等のプロセッサ、ＲＡＭやＲＯＭ等の主記憶装置、ＥＰＲＯＭ、ハードディスクドライブ、リムーバブルメディア等の補助記憶装置を有するコンピュータである。なお、リムーバブルメディアは、例えば
、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００４４】
データセンタ３０は、通信部３０１を備える。通信部３０１は、データセンタ３０をネットワークに接続するための無線通信インタフェースである。通信部３０１は、例えば、無線ＬＡＮや３Ｇ、ＬＴＥ等の移動体通信サービスを介して、ネットワークへのアクセスを提供する。
【００４５】
また、データセンタ３０は、記憶部３０２を備える。記憶部３０２は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。
【００４６】
また、データセンタ３０は、撮影画像に関する情報が格納される撮影広告情報ＤＢ３０３を含む。また、データセンタ３０は、車両に関する情報が格納される車両情報ＤＢ３０４を含む。また、データセンタ３０は、デジタルサイネージ５０に関する情報が格納されるサイネージ情報ＤＢ３０５を含む。また、データセンタ３０は、表示される広告に関する情報が格納される広告情報ＤＢ３０６を含む。撮影広告情報ＤＢ３０３、車両情報ＤＢ３０４、サイネージ情報ＤＢ３０５、及び広告情報ＤＢ３０６は、プロセッサによって実行されるデータベース管理システムのプログラムが、記憶部３０２に記憶されるデータを管理することで構築される。撮影広告情報ＤＢ３０３、車両情報ＤＢ３０４、サイネージ情報ＤＢ３０５、及び広告情報ＤＢ３０６は、例えば、リレーショナルデータベースである。
【００４７】
図７は、撮影広告情報ＤＢ３０３に含まれるテーブルの概要の一例を示している。撮影広告情報ＤＢには、画像の撮影が実行された車を識別する車両ＩＤ（Ｉｄｅｎｔｉｆｉｃａｔｉｏｎ）、画像が撮影された日付、画像が撮影された時刻、車の位置情報、撮影画像データ、及び撮影された画像に映る広告を識別する広告ＩＤが格納される。ただし、撮影広告情報ＤＢ３０３に格納される情報は、適宜更新されてもよい。
【００４８】
図８は、車両情報ＤＢ３０４に含まれるテーブルの概要の一例を示している。車両情報ＤＢ３０４には、車両を識別する車両ＩＤ、車両の所有者を識別する所有者ＩＤ、車両ナンバー、車種、所有者の名前、所有者の性別、所有者の年齢、及び子供の有無を含む所有者の家族情報が格納される。ただし、車両情報ＤＢ３０４に格納される情報は、適宜更新されてもよい。
【００４９】
図９は、サイネージ情報ＤＢ３０５の概要の一例を示している。サイネージ情報ＤＢ３０５には、サイネージを識別するサイネージＩＤ、及びサイネージが設置される場所の位置情報（緯度、経度）が格納される。ただし、サイネージ情報ＤＢ３０５に格納される情報は、適宜更新されてもよい。
【００５０】
図１０は、広告情報ＤＢ３０６の概要の一例を示している。広告情報ＤＢ３０６には、広告を識別する広告ＩＤ、広告画像情報、広告を実施する場所情報、広告付加情報が予め格納される。また、広告付加情報は、例えば、広告される商品の特売日、広告主がターゲ
ットとするターゲット情報（年齢層、性別など）を含む。また、広告画像には、広告主に関する情報が含まれていてもよい。また、広告情報ＤＢ３０６に格納される情報は、適宜更新されてもよい。
【００５１】
また、データセンタ３０は、広告特定部３０７を備える。広告特定部３０７は、画像情報から画像に映る広告を識別し、広告を特定する。識別方法には、既知の画像認識技術を用いてもよい。
【００５２】
また、データセンタ３０は、送信情報決定部３０８を備える。送信情報決定部３０８は、データセンタ３０に情報を送信するよう要求があった場合に、撮影広告情報ＤＢ３０３、車両情報ＤＢ３０４、サイネージ情報ＤＢ３０５、及び広告情報ＤＢ３０６に格納されるデータを抽出する。そして、当該抽出した情報に基づき、要求元への情報を決定する。
【００５３】
次に配信管理サーバ４０の機能構成を説明する。図１１は、配信管理サーバ４０の機能構成の概要の一例を示している。配信管理サーバ４０は、ＣＰＵ等のプロセッサ、ＲＡＭやＲＯＭ等の主記憶装置、ＥＰＲＯＭ、ハードディスクドライブ、リムーバブルメディア等の補助記憶装置を有するコンピュータである。なお、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００５４】
配信管理サーバ４０は、通信部４０１を備える。通信部４０１は、配信管理サーバ４０をネットワークに接続するための無線通信インタフェースである。通信部４０１は、例えば、無線ＬＡＮや３Ｇ、ＬＴＥ等の移動体通信サービスを介して、ネットワークへのアクセスを提供する。
【００５５】
また、配信管理サーバ４０は、配信部４０２を備える。配信部４０２は、デジタルサイネージ５０へ広告を配信する。配信する情報には、広告画像、当該広告を表示する表示時間、当該広告の表示回数などが含まれる。
【００５６】
次にデジタルサイネージ５０の機能構成を説明する。図１２は、デジタルサイネージ５０の機能構成の概要の一例を示している。デジタルサイネージ５０は、ＣＰＵ等のプロセッサ、ＲＡＭやＲＯＭ等の主記憶装置、ＥＰＲＯＭ、ハードディスクドライブ、表示装置を有する装置である。表示装置は、液晶ディスプレイ、有機ＥＬディスプレイ、ＬＥＤマトリクス、プロジェクタなどにより形成される。補助記憶装置には、オペレーティングシステム（ＯＳ）、各種プログラム等が格納され、そこに格納されたプログラムを主記憶装置の作業領域にロードして実行し、プログラムの実行を通じて各構成部等が制御されることによって、後述するような、所定の目的に合致した各機能を実現することができる。
【００５７】
デジタルサイネージ５０は、通信部５０１を備える。通信部５０１は、デジタルサイネージ５０をネットワークに接続するための無線通信インタフェースである。通信部５０１は、例えば、無線ＬＡＮや３Ｇ、ＬＴＥ等の移動体通信サービスを介して、ネットワークへのアクセスを提供する。
【００５８】
また、デジタルサイネージ５０は、表示部５０２を備える。表示部５０２は、通信部が受信した画像情報を表示装置に表示させる。また、通信部が表示に関する情報（表示時間、表示回数など）を受信した場合、当該情報に従い画像情報を表示装置に表示させる。
【００５９】
次に情報端末６０の機能構成を説明する。図１３は、情報端末６０の機能構成の概要の一例を示している。情報端末６０は、ＣＰＵ等のプロセッサ、ＲＡＭやＲＯＭ等の主記憶装置、ＥＰＲＯＭ、ハードディスクドライブ、リムーバブルメディア等の補助記憶装置、入力装置、及び表示装置を有するコンピュータである。情報端末６０は、例えばタッチパネルディスプレイであるスマートフォンである。なお、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００６０】
情報端末６０は、通信部６０１を備える。通信部６０１は、情報端末６０をネットワークに接続するための無線通信インタフェースである。通信部６０１は、例えば、無線ＬＡＮや３Ｇ、ＬＴＥ等の移動体通信サービスを介して、ネットワークへのアクセスを提供する。
【００６１】
また、情報端末６０は、入力受付部６０２を備える。入力受付部６０２は、タッチパネルディスプレイを介してユーザからの入力を受け付ける。
【００６２】
また、情報端末６０は、表示部６０３を備える。表示部６０３は、例えば入力受付部６０２が受け付けたユーザの入力操作に基づき、情報をタッチパネルディスプレイへ表示させる
【００６３】
（各装置の処理フロー）
次に各装置が実行する処理フローを説明する。図１４は、広告保存装置１０が広告の撮影のための制御信号を撮影装置へ送信することを実行する処理のフローチャートの一例を示している。
【００６４】
（Ｓ１００１）
ステップＳ１００１では、運転手の撮影意思の判定を行う。撮影判定部１０２は、運転手が何らかのジェスチャーを行った場合、広告保存装置１０のカメラモジュール１１を介して当該ジェスチャーに関する入力信号を受信する。また、撮影判定部１０２は、運転手が何らかの音声を発した場合、広告保存装置１０のマイクロホンを介して当該音声に関する入力信号を受信する。そして、撮影判定部１０２は、入力信号に基づき、運転手の撮影意思の判定を行う。撮影意思の判定は、例えばパターン認識アルゴリズムに従い、判定される。また、広告保存装置１０は、撮影用ボタンを備えてもよい。そして、撮影判定部１０２は、当該撮影用ボタンが押されることによって生じる入力信号を受信し、撮影の意思の判定を行ってもよい。
【００６５】
（Ｓ１００２）
ステップＳ１００２では、撮影判定部１０２が、運転手が撮影を希望していると判定した場合、撮影判定部１０２が撮影のための制御信号を生成する。運転手が撮影を希望していると判定するジェスチャーは、例えば、人差し指で何かを指すものであってもよい。また、運転手が撮影を希望していると判定する音声パターンは、例えば、「前方を撮影してください」という音声に相当するパターンであってもよい。
【００６６】
（Ｓ１００３）
ステップＳ１００３では、通信部１０１が撮影のための制御信号を撮影装置へ送信する。
【００６７】
また、図１５は、広告保存装置１０が撮影画像を受信して外部の装置へ送信する処理を実行する処理のフローチャートの一例を示している。
【００６８】
（Ｓ１１０１）
ステップＳ１１０１では、通信部１０１が、撮影装置から撮影画像情報を受信する。
【００６９】
（Ｓ１１０２）
ステップＳ１１０２では、記憶部１０３が、受信した撮影画像情報を撮影画像情報ＤＢ１０５へ格納する。また、記憶部１０３は、撮影画像情報に加えて、現在の日付、現在時刻、車両の位置情報といった走行履歴情報を撮影画像情報と同じレコードに格納する。ここで、車両の位置情報は、位置情報取得部１０４により取得される。
【００７０】
（Ｓ１１０３）
ステップＳ１１０３では、通信部１０１が、撮影画像情報ＤＢ１０５に格納された情報を外部の装置へ送信する。また、通信部１０１は、車両ＩＤ情報も付加して外部の装置へ送信する。
【００７１】
また、図１６は、広告保存装置１０が撮影画像情報ＤＢ１０５に格納された情報を表示するフローの一例を示している。
【００７２】
（Ｓ１２０１）
ステップＳ１２０１では、入力受付部１０６が撮影画像を表示する操作入力を受け付ける。
【００７３】
（Ｓ１２０２）
ステップＳ１２０２では、表示部１０７が、受け付けた入力に基づき、撮影画像情報ＤＢ１０５に格納される撮影画像を表示する。また、表示部１０７は、表示された撮影画像に映る広告の実施場所を車両の目的地とすることのできる操作画面を撮影画像と共に表示する。
【００７４】
（Ｓ１２０３）
ステップＳ１２０３では、入力受付部１０６が、広告の実施場所を目的地とする入力を受け付けた場合、経路生成部１０８へ経路生成を命令する信号を送信する。
【００７５】
（Ｓ１２０４）
ステップＳ１２０４では、経路生成部１０８は、経路生成を命令する信号を受信した場合、通信部１０１を介して、広告実施場所に関する情報を要求する要求信号を広告の実施場所に関する情報が格納される装置へ送信する。ここで、要求信号には、撮影画像情報ＤＢ１０５に格納される車両ＩＤ情報、走行履歴情報、撮影画像情報が含まれる。
【００７６】
（Ｓ１２０５）
ステップＳ１２０５では、経路生成部１０８は、通信部１０１を介して広告実施場所に関する応答信号を広告の実施場所に関する情報が格納される装置から受信する。また、位置情報取得部１０４が車両の現在位置を取得し、当該位置情報を経路生成部１０８へ送る。
【００７７】
（Ｓ１２０６）
ステップＳ１２０６では、経路生成部１０８が、取得した車両の位置情報及び広告実施場所に関する情報に基づき、経路を生成する。そして、表示部１０７は、生成された経路を表示する。
【００７８】
次に、図１７は、ドライブレコーダ２０が撮影処理を実行するフローチャートの一例を示している。
【００７９】
（Ｓ２００１）
ステップＳ２００１では、通信部２０１が、撮影のための制御信号を受信する。
【００８０】
（Ｓ２００２）
ステップＳ２００２では、撮影部２０２が、受信した制御信号に基づいて撮影を実行する。
【００８１】
（Ｓ２００３）
ステップＳ２００３では、通信部２０１が、撮影された画像情報を制御信号の送信元へ送信する。
【００８２】
次に、図１８は、データセンタ３０が情報の蓄積を行い、また蓄積された情報に基づいて表示させる広告情報を外部の装置へ送信する処理を実行するフローチャートの一例を示している。
【００８３】
（Ｓ３００１）
ステップＳ３００１では、通信部３０１が、車両ＩＤ情報、走行履歴情報、撮影画像情報を外部の装置から受信する。そして記憶部３０２は、受信した車両ＩＤ情報、走行履歴情報、撮影画像情報を撮影広告情報ＤＢ３０３へ格納する。
【００８４】
（Ｓ３００２）
ステップＳ３００２では、広告特定部３０７が、撮影広告情報ＤＢ３０３へ格納された撮影画像に映る広告の広告ＩＤを特定する。広告特定部３０７は、まず画像認識技術を使用することにより、撮影画像に映る広告画像を識別する。そして、広告特定部３０７は、識別された広告画像と同じ広告画像を広告情報ＤＢ３０６に格納されるデータの中から抽出する。この抽出の場合にも、画像認識技術が使用される。そして抽出した広告画像に対応する広告ＩＤを広告情報ＤＢ３０６に格納されるデータの中から抽出する。ここで、使用される画像認識技術は何でもよい。
【００８５】
（Ｓ３００３）
ステップＳ３００３では、記憶部３０２が、抽出された広告ＩＤを、当該広告が映る撮影画像が格納される撮影広告情報ＤＢ３０３内のレコードと同じレコードに格納する。
【００８６】
（Ｓ３００４）
ステップＳ３００４では、送信情報決定部３０８が、撮影画像に映る広告に関連する情報を、画像を撮影した車両が今後通過することが予測される地点に設置されるデジタルサイネージ５０へ表示させるための処理を行う。まず、撮影広告情報ＤＢ３０３に格納される走行履歴から車両が今後通過する地点を予測する。予測方法は、どのような方法でもよい。そして、送信情報決定部３０８は、予測される車両の通過地点に近い場所に設置されるデジタルサイネージ５０を、サイネージ情報ＤＢ３０５に格納されるデジタルサイネージ５０の位置情報に基づいて求める。そして、送信情報決定部３０８は、当該デジタルサイネージ５０を広告配信先サイネージと決定する。ここで広告配信先サイネージの数は、何個でもよい。
【００８７】
また、送信情報決定部３０８は、通過地点が予測された車両が撮影した撮影画像に映る広告画像情報を広告情報ＤＢ３０６から抽出する。抽出する場合、撮影広告情報ＤＢ３０
３に格納される広告ＩＤが使用される。そして、送信情報決定部３０８は、当該広告画像情報を配信画像情報と決定する。また、送信情報決定部３０８は、広告配信先サイネージにおいて広告が表示される時間も決定する。
【００８８】
（Ｓ３００５）
ステップＳ３００５では、通信部３０１が、送信情報決定部３０８において広告配信先サイネージと決定されたデジタルサイネージのサイネージＩＤと、配信画像情報と、広告配信先サイネージにおいて広告画像が表示される時間情報と、を外部の装置へ送信する。
【００８９】
次に、図１９は、データセンタ３０が、外部の装置から広告実施場所情報を要求された場合の処理を実行するフローチャートの一例を示している。
【００９０】
（Ｓ３１０１）
ステップＳ３１０１では、通信部３０１が、外部の装置から広告実施場所情報を要求する要求信号を受信する。ここで、要求信号には、車両ＩＤ情報、走行履歴情報、撮影画像情報が含まれる。
【００９１】
（Ｓ３１０２）
ステップＳ３１０２では、広告特定部３０７が、受信した撮影画像に映る広告の広告ＩＤを特定する。広告ＩＤを特定する処理は、ステップＳ３００２における広告ＩＤの特定処理と同様である。
【００９２】
（Ｓ３１０３）
ステップＳ３１０３では、送信情報決定部３０８が、広告情報ＤＢ３０６に格納されるデータから、特定された広告ＩＤに対応する広告実施場所情報を抽出する。そして、送信情報決定部３０８は、抽出された広告実施場所情報を要求信号の送信元へ送信することを決定する。
【００９３】
（Ｓ３１０４）
ステップＳ３１０４では、通信部３０１が、送信情報決定部３０８において送信することが決定された広告実施場所情報を要求信号の送信元へ送信する。
【００９４】
次に、図２０は、データセンタ３０が外部の装置から撮影画像に関する情報を要求された場合の処理を実行するフローチャートの一例を示している。
【００９５】
（Ｓ３２０１）
ステップＳ３２０１では、通信部３０１が、撮影画像に関する情報を要求する要求信号を受信する。要求信号には、車両の所有者ＩＤ情報が含まれる。
【００９６】
（Ｓ３２０２）
ステップＳ３２０２では、送信情報決定部３０８が受信した車両の所有者ＩＤ情報に基づき、車両情報ＤＢ３０４に格納される情報から車両の所有者ＩＤに対応する車両ＩＤを抽出する。
【００９７】
そして、送信情報決定部３０８は、抽出した車両ＩＤ情報に基づき、撮影広告情報ＤＢ３０３に格納される情報から、車両ＩＤに対応する撮影画像情報及び撮影画像に映る広告ＩＤ情報を抽出する。
【００９８】
そして、送信情報決定部３０８は、抽出した広告ＩＤ情報に基づき、広告情報ＤＢ３０６に格納される情報から、広告ＩＤ情報に対応する広告付加情報を抽出する。広告付加情
報は、例えば当該広告に商品が掲載されている場合、当該商品の特売日情報を含む。
【００９９】
そして、送信情報決定部３０８は、抽出した撮影画像情報及び広告付加情報を撮影画像に関する情報として要求信号の送信元へ送信することを決定する。
【０１００】
（Ｓ３２０３）
ステップＳ３２０３では、通信部３０１が、撮影画像及び広告付加情報を要求信号の送信元へ送信する。
【０１０１】
次に、図２１は、配信管理サーバ４０が広告配信処理を実行するフローチャートの一例を示している。
【０１０２】
（Ｓ４００１）
ステップＳ４００１では、通信部４０１が、外部の装置から広告に関する情報を受信する。広告に関する情報は、広告の配信先であるデジタルサイネージ５０のサイネージＩＤと、配信される広告画像情報と、広告の配信先のデジタルサイネージ５０において広告画像が表示される時間情報を含む。
【０１０３】
（Ｓ４００２）
ステップＳ４００２では、配信部４０２が、広告の配信先と指定されるデジタルサイネージ５０へ広告画像情報を送信する。また、配信部４０２は、広告の配信先と指定されるデジタルサイネージ５０において広告画像が表示される時間情報も、当該デジタルサイネージ５０へ配信する。
【０１０４】
次に、図２２は、デジタルサイネージ５０が広告を表示する処理を実行するフローチャートの一例を示している。
【０１０５】
（Ｓ５００１）
ステップＳ５００１では、通信部５０１が、外部の装置から表示される広告画像、及び表示時間情報を受信する。
【０１０６】
（Ｓ５００２）
ステップＳ５００２では、表示部５０２が、受信した広告画像を、表示装置へ出力する。また、広告画像を出力する時間は、受信した表示時間情報に従う。
【０１０７】
次に、図２３は、情報端末６０が撮影した画像を表示する処理を実行するフローチャートの一例を示している。
【０１０８】
（Ｓ６００１）
ステップＳ６００１では、入力受付部６０２が、入力装置を介して撮影した画像を表示する操作の入力を受け付ける。
【０１０９】
（Ｓ６００２）
ステップＳ６００２では、通信部６０１が、撮影画像に関する情報を要求する要求信号を外部の装置へ送信する。要求信号には、車両の所有者ＩＤ情報が含まれる。
【０１１０】
（Ｓ６００３）
ステップＳ６００３では、通信部６０１が、撮影画像情報及び撮影画像に映る広告に付加される広告付加情報を要求信号送信先から受信する。広告付加情報は、例えば当該広告が商品に関する物である場合、当該商品の特売日情報を含む。
【０１１１】
（Ｓ６００４）
ステップＳ６００４では、表示部６０３が、受信した撮影画像及び広告付加情報を、表示装置へ出力する。
【０１１２】
（広告配信システム１の動作例）
次に、広告配信システム１の動作例の一例を説明する。図２４は、車の運転手によって運転中に撮影された広告を、撮影場所とは別の場所で運転手へ向けて表示する処理が実行される場合の、広告配信システム１の動作の一例を示している。
【０１１３】
（パターン１Ｐ０１）
図２５は、運転手が車の走行中の道路脇に設置されるデジタルサイネージ５０に映る広告に興味が湧いた状況を示す一例である。運転手は、例えば、年齢が２０歳代の若者であるとする。また、デジタルサイネージ５０には、例えば若者向けのスーツの広告画像が表示されているとする。
【０１１４】
運転手は、人差し指をデジタルサイネージ５０の方向に向けるジェスチャーを行う。すると、ステップＳ１００１の処理が実行され、車の運転手が撮影の意思を有しているか否かの判定が行われる。また、運転手は、デジタルサイネージ５０に映る広告に興味が湧いた場合、「前方を撮影してください」と声を発してもよい。
【０１１５】
（パターン１Ｐ０２）
ステップＳ１００２の処理が実行され、運転手が撮影を希望していると判定される。そして、撮影のための制御信号が生成される。
【０１１６】
（パターン１Ｐ０３）
ステップＳ１００３の処理が実行され、ドライブレコーダ２０へ撮影のための制御信号が送信される。ここで、制御信号には、人差し指が指す方角に関する情報が含まれていてもよい。
【０１１７】
（パターン１Ｐ０４）
ステップＳ２００１の処理が実行され、ドライブレコーダ２０が撮影のための制御信号を受信する。
【０１１８】
（パターン１Ｐ０５）
ステップＳ２００２の処理が実行され、ドライブレコーダ２０が受信した撮影のための制御信号に基づき、撮影を実行する。また、撮影のための制御信号に人差し指が指す方角に関する情報が含まれる場合、ドライブレコーダ２０はカメラのレンズの方角を当該方角情報に基づいて制御し、撮影を実行する。
【０１１９】
（パターン１Ｐ０６）
ステップＳ２００３の処理が実行され、広告保存装置１０へ撮影された画像情報が送信される。
【０１２０】
（パターン１Ｐ０７）
ステップＳ１１０１の処理が実行され、広告保存装置１０は、撮影画像情報をドライブレコーダ２０から受信する。
【０１２１】
（パターン１Ｐ０８）
ステップＳ１１０２の処理が実行され、受信した撮影画像情報が撮影画像情報ＤＢ１０
５へ格納される。また、撮影画像情報に加えて、現在の日付、現在時刻、車両の位置情報といった走行履歴情報が、撮影画像情報と同じレコードに格納される。
【０１２２】
（パターン１Ｐ０９）
ステップＳ１１０３の処理が実行され、撮影画像情報ＤＢ１０５へ格納された撮影画像情報、走行履歴情報がデータセンタ３０へ送信される。また、データセンタ３０へ送信される情報には、車両ＩＤ情報も含まれる。
【０１２３】
（パターン１Ｐ１０）
ステップＳ３００１の処理が実行され、データセンタ３０が広告保存装置１０から撮影画像情報、走行履歴情報、車両ＩＤ情報を受信する。そして、受信した撮影画像情報、走行履歴情報、車両ＩＤ情報は撮影広告情報ＤＢ３０３へ格納される。
【０１２４】
（パターン１Ｐ１１）
ステップＳ３００２の処理が実行され、受信した撮影画像に映る広告の広告ＩＤが特定される。
【０１２５】
（パターン１Ｐ１２）
ステップＳ３００３の処理が実行され、特定された広告ＩＤが、当該広告が映る撮影画像が格納される撮影広告情報ＤＢ３０３内のレコードと同じレコードに格納される。
【０１２６】
（パターン１Ｐ１３）
ステップＳ３００４の処理が実行され、撮影広告情報ＤＢ３０３に格納される走行履歴から撮影画像を送信してきた広告保存装置１０が設置される車両が今後通過する地点が予測される。そして、予測される通過地点から近い場所に設置されるデジタルサイネージ５０が、サイネージ情報ＤＢ３０５に格納されるデジタルサイネージ５０の位置情報に基づいて求められる。そして、求められたデジタルサイネージ５０は広告配信先サイネージとして決定される。
【０１２７】
また、撮影画像に映る広告画像情報が広告情報ＤＢ３０６から抽出される。そして、抽出された広告画像情報は、配信画像情報として決定される。
【０１２８】
また、広告配信先サイネージにおいて広告画像が表示される広告表示時間も決定される。本実施形態では、広告配信先サイネージにおいて広告画像が繰り返し表示されるように広告表示時間が決定される。また、広告配信先サイネージは複数あってもよく、複数の広告配信先サイネージの設置位置に応じて、配信先のサイネージごとに、広告表示時間が異なるように設定されてもよい。
【０１２９】
（パターン１Ｐ１４）
ステップＳ３００５の処理が実行され、広告配信先サイネージに対応するサイネージＩＤと、配信画像情報と、配信先サイネージにおける広告表示時間情報と、が配信管理サーバ４０へ送信される。
【０１３０】
（パターン１Ｐ１５）
ステップＳ４００１の処理が実行され、配信管理サーバ４０がデータセンタ３０から広告配信先サイネージに対応するサイネージＩＤと、配信画像情報と、配信先サイネージにおける広告表示時間情報を受信する。
【０１３１】
（パターン１Ｐ１６）
ステップＳ４００２の処理が実行され、受信したサイネージＩＤに対応するデジタルサ
イネージ５０へ、広告画像である配信画像情報が送信される。また、広告画像が表示される広告表示時間情報が当該デジタルサイネージ５０へ送信される。
【０１３２】
（パターン１Ｐ１７）
ステップＳ５００１の処理が実行され、デジタルサイネージ５０が、広告画像である配信画像情報を配信管理サーバ４０から受信する。また、デジタルサイネージ５０は、広告表示時間情報も配信管理サーバ４０から受信する。
【０１３３】
（パターン１Ｐ１８）
ステップＳ５００２の処理が実行され、配信された広告画像がデジタルサイネージ５０において表示時間情報に従い、表示される。また、広告画像に、広告主に関する情報が含まれる場合、広告主に関する情報も表示されることとなる。また、本実施形態では、広告画像が繰り返し表示される。すなわち、運転手は、車の走行中に再び別の場所でデジタルサイネージ５０に表示されるスーツの広告を見ることとなる。
【０１３４】
また、図２６は、車の走行中に撮影された撮影画像を、その後の車の停車中に運転手へ向けて表示する処理が実行される場合の、広告配信システム１の動作の一例を示している。
【０１３５】
（パターン２Ｐ０１）
ステップＳ１２０１の処理が実行され、広告保存装置１０は、撮影画像を表示する操作入力を受け付ける。
【０１３６】
（パターン２Ｐ０２）
ステップＳ１２０２の処理が実行され、受け付けた入力操作に基づき、撮影画像情報ＤＢ１０５に格納される撮影画像が表示される。また、撮影画像と共に、撮影画像に映る広告の実施場所を車両の目的地とすることのできる操作画面を撮影画像と共に表示する。
【０１３７】
（パターン２Ｐ０３）
ステップＳ１２０３の処理が実行され、広告保存装置１０は、広告の実施場所を目的地とする入力を受け付けた場合、経路生成を行うことを決定する。
【０１３８】
（パターン２Ｐ０４）
ステップＳ１２０４の処理が実行され、広告実施場所に関する情報を要求する要求信号がデータセンタ３０へ送信される。ここで、要求信号には、撮影画像情報ＤＢ１０５に格納される車両ＩＤ情報、走行履歴情報、撮影画像情報が含まれる。
【０１３９】
（パターン２Ｐ０５）
ステップＳ３１０１の処理が実行され、データセンタ３０が広告実施場所に関する情報を要求する要求信号を受信する。ここで、要求信号には、車両ＩＤ情報、走行履歴情報、撮影画像情報が含まれる。
【０１４０】
（パターン２Ｐ０６）
ステップＳ３１０２の処理が実行され、受信した撮影画像に映る広告の広告ＩＤが特定される。
【０１４１】
（パターン２Ｐ０７）
ステップＳ３１０３の処理が実行され、特定された広告ＩＤに対応する広告実施場所情報が広告情報ＤＢ３０６から抽出される。
【０１４２】
（パターン２Ｐ０８）
ステップＳ３１０４の処理が実行され、抽出した広告実施場所情報が広告保存装置１０へ送信される。
【０１４３】
（パターン２Ｐ０９）
ステップＳ１２０５の処理が実行され、広告保存装置１０が表示される広告の実施場所情報をデータセンタ３０から受信する。
【０１４４】
（パターン２Ｐ１０）
ステップＳ１２０６の処理が実行され、車両の位置情報と、受信した広告の実施場所情報に基づき、車両の現在地から広告の実施場所までの経路が生成される。そして、生成された経路情報は、表示装置に表示される。
【０１４５】
また、図２７は、運転手が、車の走行中に撮影した撮影画像を、降車後に見ることができる処理が実行される場合の、広告配信システム１の動作の一例を示している。
【０１４６】
（パターン３Ｐ０１）
ステップＳ６００１の処理が実行され、情報端末６０は、撮影画像を表示する操作入力を受け付ける。
【０１４７】
（パターン３Ｐ０２）
ステップＳ６００２の処理が実行され、撮影画像に関する情報を要求する要求信号がデータセンタ３０へ送信される。ここで、要求信号には、車両の所有者ＩＤ情報が含まれる。
【０１４８】
（パターン３Ｐ０３）
ステップＳ３２０１の処理が実行され、データセンタ３０が、撮影画像に関する情報を要求する要求信号を情報端末６０から受信する。ここで、要求信号には、車両の所有者ＩＤ情報が含まれる。
【０１４９】
（パターン３Ｐ０４）
ステップＳ３２０２の処理が実行され、受信した車両の所有者ＩＤ情報に対応する車両ＩＤが、車両情報ＤＢ３０４から抽出される。また、抽出した車両ＩＤ情報に対応する撮影画像及び撮影画像に映る広告ＩＤ情報が、撮影広告情報ＤＢ３０３から抽出される。また、抽出した広告ＩＤ情報に対応する広告付加情報が、広告情報ＤＢ３０６から抽出される。広告付加情報は、例えばデジタルサイネージ５０に表示されていたスーツの特売日情報を含む。
【０１５０】
（パターン３Ｐ０５）
ステップＳ３２０３の処理が実行され、データセンタ３０が、抽出した撮影画像情報及び広告付加情報を情報端末６０へ送信する。
【０１５１】
（パターン３Ｐ０６）
ステップＳ６００３の処理が実行され、情報端末６０は、撮影画像情報及び広告付加情報をデータセンタ３０から受信する。
【０１５２】
（パターン３Ｐ０７）
ステップＳ６００４の処理が実行され、受信した撮影画像及び広告付加情報が表示される。図２８は、情報端末６０に受信した撮影画像及び広告付加情報が表示される概要の一例を示している。図２８に示されるように、運転手は、情報端末６０を介して、撮影画像
と、撮影画像に映るスーツの特売日情報を見ることとなる。
【０１５３】
（第一実施形態の効果）
第一実施形態では、車の走行中にデジタルサイネージ５０に表示される広告を見かけ、広告に興味が沸いた場合、運転手はジェスチャーを示す又は声を発することによって広告を撮影することができる。そして、運転手が興味を示した広告は、車が通過すると予測される別の場所に設置されるデジタルサイネージ５０において繰り返し表示されている。よって、運転手は、興味が沸いた広告を別の場所で再び見ることとなる。すなわち、広告の訴求効果は高まる。
【０１５４】
また、撮影された画像は、広告保存装置１０やデータセンタ３０に格納される。すなわち、運転手は、車の停止中や降車後に撮影画像を見ることができる。また、第一実施形態では、降車後に撮影画像を情報端末６０において見返す際に、撮影画像に映る広告の特売日情報が表示される。すなわち、上記のような広告配信システムは、撮影画像に映る広告の訴求効果を高める効果を奏する。また、撮影画像を思い出として見返すこともできる。
【０１５５】
また、上記のような広告配信システム１では、撮影した画像に映る広告の実施場所を目的地とした経路が表示される。すなわち、上記のような広告配信システム１は、運転手が容易に広告実施場所までの経路を把握することのできる利便性の高い装置である。
【０１５６】
（第一実施形態の変形例）
第一実施形態では、広告保存装置１０及びドライブレコーダ２０によって広告の撮影や撮影データの保存が行われていたが、例えば広告保存装置１０及びドライブレコーダ２０を情報端末６０で代替してもよい。ただし、情報端末６０は、運転手のジェスチャーを撮影するカメラと、車外の風景を撮影するカメラの２つのカメラを備える。また、情報端末６０は、例えば車のダッシュボードに固定されてもよい。
【０１５７】
また、第一実施形態の広告保存装置１０は、持ち運び可能な装置であってもよい。また、データセンタ３０に含まれる各ＤＢが、広告保存装置１０に定期的にアップロードされてもよい。また、広告保存装置１０がデータセンタ３０に含まれる各ＤＢを備える場合、データセンタ３０が行う処理が広告保存装置１０において実行されてもよい。
【０１５８】
＜第二実施形態＞
（システム構成）
図２９は、第二実施形態に係る広告表示システムの構成の概要の一例を示している。本実施形態にかかる広告表示システム２は、データセンタ３０と、配信管理サーバ４０Ａと、デジタルサイネージ５０Ａと、から形成される。また、デジタルサイネージ５０Ａは、上部にカメラモジュール５１を備える。
【０１５９】
（機能構成）
図３０は、配信管理サーバ４０Ａの機能構成の概要の一例を示している。配信管理サーバ４０Ａは、第一実施形態に係る配信管理サーバ４０と同じ装置構成及び機能を含む。
【０１６０】
また、配信管理サーバ４０Ａは、配信管理サーバ４０の機能に加えて記憶部４０３を備える。記憶部４０３は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、
前述した機能が実現される。
【０１６１】
また、配信管理サーバ４０Ａは、撮影指示部４０４を備える。撮影指示部４０４は、後述するデジタルサイネージ５０Ａへ撮影のための制御信号を生成する。
【０１６２】
また、配信管理サーバ４０Ａは、移動体属性特定部４０５を備える。移動体属性特定部４０５は、画像に映る物体を識別し、移動体の属性を特定する。移動体の属性の特定には、画像認識技術が使用される。使用される画像認識技術は、何でもよい。
【０１６３】
また、配信管理サーバ４０Ａは、移動体属性情報ＤＢ４０６を含む。移動体属性情報ＤＢ４０６は、プロセッサによって実行されるデータベース管理システムのプログラムが、記憶部４０３に記憶されるデータを管理することで構築される。移動体属性情報ＤＢ４０６は、例えば、リレーショナルデータベースである。
【０１６４】
図３１は、移動体属性情報ＤＢ４０６の概要の一例を示している。移動体属性情報ＤＢ４０６には、サイネージを識別するサイネージＩＤ、画像が撮影された日付、画像が撮影された時刻、移動体の種類、車類、車両のナンバー、移動体の性別、移動体の年齢、移動体の身長、移動体が着ている服の種類の関する情報が格納される。
【０１６５】
また、配信管理サーバ４０Ａは、蓄積判定部４０７を備える。蓄積判定部４０７は、移動体属性情報ＤＢ４０６に所望のデータ量が蓄積されたか否かの判定を行う。
【０１６６】
また、配信管理サーバ４０Ａは、統計処理部４０８を備える。統計処理部４０８は、移動体属性情報ＤＢ４０６に格納される属性情報を抽出し、統計処理を実行する。
【０１６７】
また、配信管理サーバ４０Ａは、配信広告決定部４０９を備える。配信広告決定部４０９は、統計処理部４０８による統計処理の結果に基づき、デジタルサイネージ５０Ａへ配信する広告画像を決定する。ここで、統計処理の結果に基づき、最適な広告情報を決定する手法は、既知の機械学習手法や経験的手法など何でもよい。また、配信広告決定部４０９は、統計処理部４０８による統計処理の結果に基づき、広告配信先サイネージにおいて広告が表示される広告表示時間も決定する。
【０１６８】
また、図３２は、デジタルサイネージ５０Ａの機能構成の概要の一例を示している。デジタルサイネージ５０Ａは、デジタルサイネージ５０が備える機能に加えて、撮影部５０３を備える。撮影部５０３は、カメラモジュール５１による撮影を制御する。撮影部５０３は、撮影方向、撮影回数などを制御することもできる。また、デジタルサイネージ５０Ａは、ＬＥＤ（Ｌｉｇｈｔ  Ｅｍｉｔｔｉｎｇ  Ｄｉｏｄｅ）を備え、夜間に撮影する際に当該ＬＥＤライトを発光させてもよい。
【０１６９】
また、プログラムを実行してこれらの機能を実現する配信管理サーバ４０Ａが有するプロセッサは、本発明の「制御部」の一例である。
【０１７０】
（各装置の処理フロー）
次に各装置が実行する処理フローを説明する。図３３は、配信管理サーバ４０Ａが広告の配信を実行する処理のフローチャートの一例を示している。
【０１７１】
（Ｓ４１０１）
ステップＳ４１０１では、撮影指示部４０４が撮影のための制御信号を生成する。撮影のための制御信号は、撮影時間、撮影頻度、撮影角度などの情報を含んでもよい。そして、通信部４０１が、生成した撮影のための制御信号を撮影装置へ送信する。
【０１７２】
（Ｓ４１０２）
ステップＳ４１０２では、通信部４０１が、撮影画像及び撮影時刻情報を撮影装置から受信する。そして、移動体属性特定部４０５が受信した撮影画像に映る移動体を識別し、移動体の属性を特定する。移動体の属性とは、移動体が車である場合には、例えば車種、ナンバーといったものである。また、移動体が人である場合には、移動体の属性とは、例えば性別、年齢、身長、着ている服の種類といったものである。そして、記憶部４０３は、特定された移動体の属性情報と、撮影を実行した撮影装置の情報と、撮影した日付情報と、撮影した時刻情報と、を移動体属性情報ＤＢへ格納する。
【０１７３】
（Ｓ４１０３）
ステップＳ４１０３では、蓄積判定部４０７が、移動体属性情報ＤＢ４０６に所望のデータ量が蓄積されたか否かの判定を行う。
【０１７４】
（Ｓ４１０４）
ステップＳ４１０４では、蓄積判定部４０７によって移動体属性情報ＤＢ４０６に所望のデータ量が蓄積されたと判定された場合、統計処理部４０８が移動体属性情報ＤＢ４０６に格納されるデータを抽出する。そして、統計処理部４０８は、抽出したデータの属性を統計する処理を実行する。また、蓄積判定部４０７によって移動体属性情報ＤＢ４０６に所望のデータ量が蓄積されたと判定されなかった場合、ステップＳ４１０１に戻る。
【０１７５】
（Ｓ４１０５）
ステップＳ４１０５では、配信広告決定部４０９が通信部４０１を介して外部の装置へ広告に関する情報の送信を要求する。
【０１７６】
（Ｓ４１０６）
ステップＳ４１０６では、通信部４０１が、広告に関する情報の要求先から広告に関する情報を受信する。また、配信広告決定部４０９が、統計処理部４０８による統計処理の結果と、広告に関する情報と、に基づいて、広告を表示する装置へ配信する最適な広告情報を決定する。また、配信広告決定部４０９は、統計処理部４０８による統計処理の結果と、広告に関する情報と、に基づいて、広告が表示される最適な広告表示時間も決定する。
【０１７７】
（Ｓ４１０７）
ステップＳ４１０７では、通信部４０１が、配信広告決定部４０９において配信されることが決定された広告情報及び広告表示時間に関する情報を広告表示装置へ送信する。ここで広告情報には、広告画像が含まれる。
【０１７８】
次に、図３４は、データセンタ３０が広告に関する情報を要求する要求信号を受信した場合の処理を実行するフローチャートの一例を示している。
【０１７９】
（Ｓ３３０１）
ステップＳ３３０１では、通信部３０１が、外部の装置から広告に関する情報を要求する要求信号を受信する。
【０１８０】
（Ｓ３３０２）
ステップＳ３３０２では、送信情報決定部３０８が、広告情報ＤＢ３０６に格納される情報を抽出する。
【０１８１】
（Ｓ３３０３）
ステップＳ３３０３では、通信部３０１が、抽出した広告情報ＤＢ３０６に格納される情報を要求信号送信元へ送信する。
【０１８２】
次に、図３５は、デジタルサイネージ５０Ａが撮影処理を実行するフローチャートの一例を示している。
【０１８３】
（Ｓ５１０１）
ステップＳ５１０１では、通信部５０１が、外部の装置から撮影のための制御信号を受信する。
【０１８４】
（Ｓ５１０２）
ステップＳ５１０２では、撮影部５０３が受信した撮影のための制御信号に従い、撮影を実行する。
【０１８５】
（Ｓ５１０３）
ステップＳ５１０３では、通信部５０１が、撮影した画像情報及び撮影時刻情報を撮影のための制御信号の送信元へ送信する。
【０１８６】
次に、図３６は、デジタルサイネージ５０Ａが広告表示処理を実行するフローチャートの一例を示している。
【０１８７】
（Ｓ５２０１）
ステップＳ５２０１では、通信部５０１が、外部の装置から広告情報及び広告表示時間に関する情報を受信する。ここで広告情報には、広告画像が含まれる。
【０１８８】
（Ｓ５２０２）
ステップＳ５２０２では、表示部が受信した広告画像を表示する。また、広告画像の表示時間は、受信した広告表示時間情報に従う。
【０１８９】
（広告表示システム２の動作例）
次に、広告表示システム２の動作例の一例を説明する。図３７は、デジタルサイネージ５０Ａの前を通過する移動体へ最適な広告を表示する処理が実行される場合の、広告表示システム２の動作の一例を示している。
【０１９０】
（パターン４Ｐ０１）
ステップＳ４１０１の処理が実行され、配信管理サーバ４０Ａは、デジタルサイネージ５０Ａにおける撮影のための制御信号を生成する。そして、生成された撮影のための制御信号は、デジタルサイネージ５０Ａへ送信される。また、撮影制御信号の送信先のデジタルサイネージ５０Ａは１つでも複数でもよい。
【０１９１】
（パターン４Ｐ０２）
ステップＳ５１０１の処理が実行され、デジタルサイネージ５０Ａは、配信管理サーバ４０Ａから撮影のための制御信号を受信する。
【０１９２】
（パターン４Ｐ０３）
ステップＳ５１０２の処理が実行され、デジタルサイネージ５０Ａは、受信した撮影のための制御信号に基づき、デジタルサイネージ５０Ａの近傍の風景を撮影する。図３８は、デジタルサイネージ５０Ａの撮影の様子の一例を示している。デジタルサイネージ５０Ａは、その前を通過する車、人、バイク、自転車といった移動体を含む風景を撮影する。
【０１９３】
（パターン４Ｐ０４）
ステップＳ５１０３の処理が実行され、撮影した画像情報及び撮影時刻情報が配信管理サーバ４０Ａへ送信される。
【０１９４】
（パターン４Ｐ０５）
ステップＳ４１０２の処理が実行され、配信管理サーバ４０Ａは、撮影画像情報及び撮影時刻情報をデジタルサイネージ５０Ａから受信する。そして、撮影画像に映る移動体が識別され、識別された移動体の属性が特定される。また、特定された移動体の属性情報と、撮影を実行したデジタルサイネージ５０ＡのサイネージＩＤ情報と、撮影した日付情報と、撮影した時刻情報と、が移動体属性情報ＤＢ４０６へ格納される。
【０１９５】
（パターン４Ｐ０６）
ステップＳ４１０３の処理が実行され、移動体属性情報ＤＢ４０６に所望のデータ量が蓄積された否かの判定が行われる。
【０１９６】
（パターン４Ｐ０７）
ステップＳ４１０４の処理が実行され、移動体属性情報ＤＢ４０６に所望のデータ量が蓄積されたと判定された場合、移動体属性情報ＤＢ４０６に格納されるデータが抽出される。そして、抽出されたデータの属性は統計処理される。また、本実施形態では、属性の統計処理の一例として、データの属性は、時間帯ごとに統計処理される。図３９は、時間帯ごとに属性が統計された結果を表すグラフの一例である。図３９の例は、移動体の属性として車種について統計された例を示している。統計処理部４０８は、図３９の例に限定されず、撮影時間帯ごとに、移動体の種類や移動体が人であった場合の年齢層等様々な属性を統計することができる。また、移動体属性特定部４０５は、撮影時間帯ごとに統計しなくてもよく、日付ごとに移動体属性情報ＤＢ４０６に格納されるデータを統計処理してもよい。
【０１９７】
（パターン４Ｐ０８）
ステップＳ４１０５の処理が実行され、配信管理サーバ４０Ａは、データセンタ３０へ広告情報ＤＢ３０６に格納される広告に関連する情報の送信を要求する。
【０１９８】
（パターン４Ｐ０９）
ステップＳ３３０１の処理が実行され、データセンタ３０は、広告情報ＤＢ３０６に格納される広告に関連する情報の送信を要求する要求信号を配信管理サーバ４０Ａから受信する。
【０１９９】
（パターン４Ｐ１０）
ステップＳ３３０２の処理が実行され、広告情報ＤＢ３０６に格納される情報が抽出される。
【０２００】
（パターン４Ｐ１１）
ステップＳ３３０３の処理が実行され、データセンタ３０は、広告情報ＤＢ３０６から抽出された広告に関連する情報を配信管理サーバ４０Ａへ送信する。
【０２０１】
（パターン４Ｐ１２）
ステップＳ４１０６の処理が実行され、配信管理サーバ４０Ａは、データセンタ３０から広告情報ＤＢ３０６に格納される広告に関連する情報を受信する。ここで、配信広告決定部４０９は、図３９に例示される統計処理の結果と、受信した広告に関連する情報に基づき、デジタルサイネージ５０Ａへ配信する最適な広告情報を決定する。例えば、図３９に例示される統計処理の結果では、日中の時間帯には、シニア層向けの車がデジタルサイ
ネージ５０Ａの前を多く通過している。また、夜間の時間帯には、若者向けの車がデジタルサイネージ５０Ａの前を多く通過している。そこで、配信管理サーバ４０Ａは、データセンタ３０から受信した広告に関連する情報から、ターゲット年齢層が高い広告画像を日中の時間帯に多く表示し、ターゲット年齢層が低い広告画像を夜間の時間帯に多く表示することを決定してもよい。
【０２０２】
（パターン４Ｐ１３）
ステップＳ４１０７の処理が実行され、配信管理サーバ４０Ａは、配信することが決定された広告画像情報及び当該広告画像の表示時間情報をデジタルサイネージ５０Ａへ配信する。また、配信管理サーバ４０Ａは、配信先サイネージＩＤ情報と、配信広告画像情報と、広告表示時間情報と、を格納してもよい。すなわち、配信管理サーバ４０Ａは、配信先サイネージＩＤ情報と、配信広告画像情報と、広告表示時間情報とから、どのデジタルサイネージ５０Ａに何の広告画像がいつ表示されるのかを管理することができる。さらに、配信管理サーバ４０Ａは、データセンタ３０からサイネージ情報ＤＢ３０５に格納される、各サイネージが設置されている位置に関する情報を取得してもよい。すなわち、デジタルサイネージ５０Ａは、どこに何の広告画像がいつ表示されるのかを管理することができる。ここで、どこに何の広告画像がいつ表示されるのかという情報は、本発明の「広告を表示する場合の表示位置情報」の一例である。図４０は、広告を表示する場合の表示位置情報の一例を示している。
【０２０３】
（パターン４Ｐ１４）
ステップＳ５２０１の処理が実行され、デジタルサイネージ５０Ａは、広告画像情報及び当該広告画像の表示時間情報を配信管理サーバ４０Ａから受信する。
【０２０４】
（パターン４Ｐ１５）
ステップＳ５２０２の処理が実行され、デジタルサイネージ５０Ａは、受信した広告画像を表示時間情報に従い、表示する。すなわち、デジタルサイネージ５０Ａは、例えば、日中の時間帯には、ターゲット年齢層が高い広告画像を多く表示し、夜間の時間帯には、ターゲット年齢層が低い広告画像を夜間の時間帯に多く表示する。
【０２０５】
（第二実施形態の効果）
上記のような広告表示システム２であれば、デジタルサイネージ５０Ａの前を通過する移動体の属性情報を蓄積している。そして、属性情報の一例である車種を時間帯ごとに統計している。そして、統計処理の結果、日中の時間帯にシニア層向けの車種がデジタルサイネージ５０Ａの前を多く通過し、夜間の時間帯に若者向けの車種がデジタルサイネージ５０Ａの前を多く通過するという属性分布の傾向が見られる場合、日中の時間帯にシニア層をターゲットとする広告をデジタルサイネージ５０Ａへ多く表示させ、夜間の時間帯に若者をターゲットとする広告をデジタルサイネージ５０Ａへ多く表示させている。すなわち、上記の広告表示システム２は、デジタルサイネージ５０Ａに表示される広告の訴求効果を高めることができる。
【０２０６】
また、配信管理サーバ４０Ａは、どこに何の広告がいつ表示されるのかという表示位置情報を管理している。よって配信管理サーバ４０Ａは、例えば、属性の統計処理の結果、近い距離にあるデジタルサイネージ５０Ａに異なる広告が同時間帯に表示されることになった場合、当該近い距離にあるデジタルサイネージ５０Ａに表示される広告を全て同一のものに変更することができる。すなわち、配信管理サーバ４０Ａは、表示位置情報を活用し、広告効果を高めることができる。
【０２０７】
（第二実施形態の変形例）
上記の広告表示システム２では、パターン４Ｐ１２において、統計処理部４０８による
統計処理の結果と、広告情報ＤＢ３０６に格納される広告に関連する情報に基づき、デジタルサイネージ５０Ａへ配信される最適な広告情報が決定されている。しかしながら、さらに、データセンタ３０に格納されるその他の情報を利用し、デジタルサイネージ５０Ａへ配信される最適な広告情報が決定されてもよい。例えば、配信管理サーバ４０Ａは、データセンタ３０から撮影広告情報ＤＢ３０３及び車両情報ＤＢ３０４に格納される情報を取得する。ここで、例えば、撮影広告情報ＤＢ３０３及び車両情報ＤＢ３０４に格納される情報に基づき、若者がスーツの広告に興味が沸き、当該画像を撮影したことが求まる。従って、配信広告決定部４０９は、夜間の時間帯に若者向けの広告を表示させることを決定することに加え、若者向けの広告の中でもスーツの広告を優先的に表示させることを決定してもよい。このような広告表示システム２であっても、デジタルサイネージ５０Ａに表示される広告の訴求効果を高めることができる。
【０２０８】
さらに、配信管理サーバ４０Ａは、データセンタ３０からサイネージ情報ＤＢ３０５に格納される情報を取得してもよい。そして、若者がスーツの広告に興味が沸き、撮影した広告を表示していたデジタルサイネージ５０の位置を、撮影広告情報ＤＢ３０３に格納される位置情報と、サイネージ情報ＤＢ３０５に格納される位置情報とから特定してもよい。そして、特定されたデジタルサイネージ５０に近いデジタルサイネージ５０Ａに、スーツの広告を優先的に表示させることを決定してもよい。このような広告表示システム２であっても、デジタルサイネージ５０Ａに表示される広告の訴求効果を高めることができる。
【０２０９】
＜その他の実施形態＞
上記の実施形態はあくまでも一例であって、本発明はその要旨を逸脱しない範囲内で適宜変更して実施しうる。
【０２１０】
また、本開示において説明した構成や処理は、技術的な矛盾が生じない限りにおいて、自由に組み合わせて実施することができる。
【０２１１】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０２１２】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０２１３】
１: 広告配信システム
２: 広告表示システム
１０: 広告保存装置
１１: カメラモジュール
１２: 孔
１３: タッチパネルディスプレイ
２０: ドライブレコーダ
２１: カメラモジュール
２２: 固定部材
３０: データセンタ
４０、４０Ａ: 配信管理サーバ
５０、５０Ａ: デジタルサイネージ
５１: カメラモジュール
６０: 情報端末
１０１: 通信部
１０２: 撮影判定部
１０３: 記憶部
１０４: 位置情報取得部
１０５: 撮影画像情報ＤＢ
１０６: 入力受付部
１０７: 表示部
１０８: 経路生成部
２０１: 通信部
２０２: 撮影部
３０１: 通信部
３０２: 記憶部
３０３: 撮影広告情報ＤＢ
３０４: 車両情報ＤＢ
３０５: サイネージ情報ＤＢ
３０６: 広告情報ＤＢ
３０７: 広告特定部
３０８: 送信情報決定部
４０１: 通信部
４０２: 配信部
４０３: 記憶部
４０４: 撮影指示部
４０５: 移動体属性特定部
４０６: 移動体属性情報ＤＢ
４０７: 蓄積判定部
４０８: 統計処理部
４０９: 配信広告決定部
５０１: 通信部
５０２: 表示部
５０３: 撮影部
６０１: 通信部
６０２: 入力受付部
６０３: 表示部
【図１】
2020030769.tif 000003
【図２】
2020030769.tif 000004
【図３】
2020030769.tif 000005
【図４】
2020030769.tif 000006
【図５】
2020030769.tif 000007
【図６】
2020030769.tif 000008
【図７】
2020030769.tif 000009
【図８】
2020030769.tif 000010
【図９】
2020030769.tif 000011
【図１０】
2020030769.tif 000012
【図１１】
2020030769.tif 000013
【図１２】
2020030769.tif 000014
【図１３】
2020030769.tif 000015
【図１４】
2020030769.tif 000016
【図１５】
2020030769.tif 000017
【図１６】
2020030769.tif 000018
【図１７】
2020030769.tif 000019
【図１８】
2020030769.tif 000020
【図１９】
2020030769.tif 000021
【図２０】
2020030769.tif 000022
【図２１】
2020030769.tif 000023
【図２２】
2020030769.tif 000024
【図２３】
2020030769.tif 000025
【図２４】
2020030769.tif 000026
【図２５】
2020030769.tif 000027
【図２６】
2020030769.tif 000028
【図２７】
2020030769.tif 000029
【図２８】
2020030769.tif 000030
【図２９】
2020030769.tif 000031
【図３０】
2020030769.tif 000032
【図３１】
2020030769.tif 000033
【図３２】
2020030769.tif 000034
【図３３】
2020030769.tif 000035
【図３４】
2020030769.tif 000036
【図３５】
2020030769.tif 000037
【図３６】
2020030769.tif 000038
【図３７】
2020030769.tif 000039
【図３８】
2020030769.tif 000040
【図３９】
2020030769.tif 000041
【図４０】
2020030769.tif 000042